(57)【特許請求の範囲】
【請求項１】
ネットワークに接続されたサーバと、
ネットワークを介して前記サーバに接続され、質問者の質問を入力する手段を備えた質問者端末と、
ネットワークを介して前記サーバに接続され、回答者からの質問者に対する回答を入力する手段を備えた回答者端末と、
予め登録された質問者を識別する質問者識別情報を記録した質問者データベースと、
予め登録された回答者の回答者識別情報を記録した回答者データベースとを有し、
前記サーバは、前記質問者端末からの要求に基づき前記質問者端末に回答者に関する情報を表示する回答者情報表示手段と、
質問者が選択した被選択回答者に対する質問を、前記質問者端末を介して取得する質問取得手段と、
前記被選択回答者による回答に対して、質問者が評価した有価価値を表す評価数を、前記質問者端末を介して取得する初期評価数取得手段と、
前記前記質問取得手段が取得した複数の質問のリストを前記質問者端末に各質問の評価数とともに表示する質問リスト表示手段と、
表示された質問リストから選択された特定の質問について評価数を加算することにより投票する評価数加算値取得手段と、
加算された評価数を質問者毎に記憶する評価数記憶手段と、
最終的に最も高い評価数が加算された質問を、回答者が回答する特定質問として、前記質問リスト表示手段によって表示された質問の中から選択する特定質問選択手段と、
回答者が回答する特定質問として選択された質問の内容を前記回答者端末の画面に表示する表示手段と、
特定質問に対する特定回答者からの回答を、前記回答者端末を介して取得する回答取得手段と、
特定質問に対する最終評価数と、該特定質問に対して評価数を加算した質問者の数に基づいて、回答を取得するための購入有価価値を算出する購入有価価値算出手段と、
前記購入有価価値の支払いを条件に、前記回答取得手段で取得した回答を、質問者端末の画面に表示する回答表示手段を備えたことを特徴とする回答システム。
【発明の詳細な説明】
【技術分野】
【０００１】
この発明は、回答システムにかかり、詳しくは、特定の回答者を選択し複数の質問者から特定の質問者を抽出し、該質問者からの質問に回答者が回答する回答システムに関するものである。
【背景技術】
【０００２】
従来、インターネット上で質問者が質問事項を掲示し、この掲示された質問事項について、インターネット上で閲覧した不特定多数の第三者が適宜回答を掲示するといった、所謂Ｑ＆Ａサイトが知られている。
【特許文献１】特開２００５−１０８０６７号
【発明の開示】
【発明が解決しようとする課題】
【０００３】
しかしながら従来のＱ＆Ａサイトでは、質問に対して回答する回答者の経験値や知識量などが不明瞭である。回答者の経験値や知識量については、自己申告されたデータにより、或いは過去の回答内容から推察することができるが、有用な回答が得られるか否かについて、質問者が判断しなければならず、判断を誤る場合もある。このため、質問に対して提供された回答が、有用かつ信憑性が高いものであるとは限らないといった問題があった。
【０００４】
また、明らかに回答者の経験値や知識量などについての情報が明確であり、有用な回答が高い確率で期待できる場合には、そのような回答者の回答は誰もが欲することが予想される。さらに、質問者からの質問の内容も、不特定多数の者にとって共通する有用な質問である場合には、回答者からの回答を閲覧に供することによって、より多くの者の利益になるものであるが、従来のＱ＆Ａサイトでは、必ずしも有益な質問や回答が得られるとは限らないといった問題もあった。
【０００５】
この発明は、質問に対する有用な回答を、回答の必要性の高さに応じて得ることができる回答システムを提供することを目的とするものである。
【課題を解決するための手段】
【０００６】
以上のような問題を解決する本発明は、以下のような構成を有する。
【０００７】
（１）ネットワークに接続されたサーバと、
ネットワークを介して前記サーバに接続され、質問者の質問を入力する手段を備えた質問者端末と、
ネットワークを介して前記サーバに接続され、回答者からの質問者に対する回答を入力する手段を備えた回答者端末と、
予め登録された質問者を識別する質問者識別情報を記録した質問者データベースと、
予め登録された回答者の回答者識別情報を記録した回答者データベースとを有し、
前記サーバは、前記質問者端末からの要求に基づき前記質問者端末に回答者に関する情報を表示する回答者情報表示手段と、
質問者が選択した被選択回答者に対する質問を、前記質問者端末を介して取得する質問取得手段と、
前記被選択回答者による回答に対して、質問者が評価した有価価値を表す評価数を、前記質問者端末を介して取得する初期評価数取得手段と、
前記前記質問取得手段が取得した複数の質問のリストを前記質問者端末に各質問の評価数とともに表示する質問リスト表示手段と、
表示された質問リストから選択された特定の質問について評価数を加算することにより投票する評価数加算値取得手段と、
加算された評価数を質問者毎に記憶する評価数記憶手段と、
最終的に最も高い評価数が加算された質問を、回答者が回答する特定質問として、前記質問リスト表示手段によって表示された質問の中から選択する特定質問選択手段と、
回答者が回答する特定質問として選択された質問の内容を前記回答者端末の画面に表示する表示手段と、
特定質問に対する特定回答者からの回答を、前記回答者端末を介して取得する回答取得手段と、
特定質問に対する最終評価数と、該特定質問に対して評価数を加算した質問者の数に基づいて、回答を取得するための購入有価価値を算出する購入有価価値算出手段と、
前記購入有価価値の支払いを条件に、前記回答取得手段で取得した回答を、質問者端末の画面に表示する回答表示手段を備えたことを特徴とする回答システム。
【発明の効果】
【０００８】
請求項１記載の発明によれば、質問者は選択した特定の回答者に対する質問を提示する。この際、この回答に対して質問者が期待する度合いを示すために有価価値を表す評価数を同時に提示する。他の質問者は、回答者に対して評価数を伴って表示された質問の内容を比較・吟味し、その質問に対する回答を得たいと欲する質問に対して、その質問を提示した質問者と同様に評価数を加算する。質問に対して与えられる評価数は、質問の回答を欲する質問者が増える程、数値が大きくなる。即ち、最も評価数が高い質問が、より多くの者が回答を欲する質問であることが示され、この最高評価数を得た質問が回答者に対して提示される。
【０００９】
この特定質問に対する回答は、特定質問に対して加算した質問者が、特定質問に対して与えられた最終評価数値に基づき決定された購入有価価値を支払うことで、その支払った質問者に質問者端末を介して提供される。最終評価数は、加算した質問者が増える程、大きくなるが、最終評価数を加算した質問者によって分担するため、各質問者が支払う購入有価価値は軽減される。
【発明を実施するための最良の形態】
【００１０】
以下、本発明の回答システムの好ましい実施形態について、添付図面に基づき詳説する。図１に示されているように、本発明の回答システム１は、サーバー２と、サーバー２にインターネットなどで代表される通信ネットワークＮeを介して接続された複数の質問者端末２１ｑ、２２q、・・・２ｎqと、複数の回答者端末２１ａ、２２a、・・・２ｎaとを備えている。
【００１１】
図２に示されているように、サーバー２は、端末の有するブラウザによって閲覧されるウェブページ情報が格納されているウェブページ情報記憶部３１と、予め登録された質問者会員に関する情報を記憶する質問者情報記憶部３２と、予め登録された回答者会員に関する情報を記憶する回答者情報記憶部３４と、オークション情報記憶部３５と、質問者からの質問内容と質問に対する回答内容を記憶する質問情報記憶部３６とを有し、更に、サーバー２と各端末との通信を行う通信手段４１と、表示手段４２と、入力手段４３と、記憶手段４４と、制御手段４５とを備えている。
【００１２】
ウェブページ情報記憶部３１は、例えばＨＴＭＬ言語で構成されたデータを、後述する表示主体毎に関連付けて記憶しており、また、新たに更新（変更）されたデータを記憶する。
【００１３】
質問者情報記憶部３２は、予め登録された質問者会員に関する情報を、会員毎に個別に記憶するファイルを備えている。図３は、質問者情報記憶部３２の構成を示す図である。この会員に関する情報とは、会員毎に個別に付与されたＩＤ番号、パスワード、バンドル名、メールアドレスなどである。ＩＤ番号、パスワードなどは、会員を特定する情報として利用される。
【００１４】
回答者情報記憶部３４は、予め登録された回答者会員に関する情報を、会員毎に個別に記憶するファイルを備えている。図４は、回答者情報記憶部３３の構成を示す図である。この会員に関する情報とは、会員毎に個別に付与されたＩＤ番号、パスワード、氏名、メールアドレス、顔の画像、回答する専門分野などである。ＩＤ番号、パスワードなどは、会員を特定する情報として利用される。
【００１５】
オークション情報記憶部３５は、質問に対する特定回答者として質問者から選択された場合に、図５に示されているように、該特定回答者毎にファイルを作成し、該特定回答者宛に提示された質問者毎に、質問者、入札額及び入札額が加算された場合には、加算毎に、加算した質問者を特定する情報を記憶する。
【００１６】
質問情報記憶部３２は、特定回答者に対して質問された質問の内容と、質問が落札された場合には、最初に質問を提示した質問者の情報、質問に対して回答した回答の内容と、回答した特定回答者の情報を記憶する。
【００１７】
通信手段４１は、例えば、ブラウザ情報、質問情報等を回答者端末２１ａ、２２ｂ、・・・２ｎaや、質問者端末２１ｑ、２２q、・・・２ｎqとの間で、送受信することができる。
【００１８】
表示手段４２は、例えば、液晶ディスプレイなどで構成することができ、入力手段４３での入力操作に内容に基づいて所定のデータや、入力用の画面等を表示し、またウェブページ情報などを表示することができる。
【００１９】
入力手段４３は、キーボード、マウスなどのポインティングディバイスなどを備え、表示手段４２に表示された入力用画面に文字データ等を入力、或いは所定のデータを選択するために用いられる。
【００２０】
記憶手段４４は、後述する制御手段４５の処理プログラムや、処理に必要なデータ等を記憶しており、これらのプログラムやデータは、適宜制御手段４５へロードされる。
【００２１】
制御手段４５は、例えばＣＰＵ（Central  Processing  Unit）及び、ワーキングエリアとしてのＲＡＭなどにより構成することができ、記憶手段４４に記憶されているプログラム等を読み込んで実行することにより、各種機能を発揮する。
【００２２】
制御手段４５は、例えば、特定の回答者に対する質問者端末２１ｑ・・・２ｎqからの入札額を記憶し、最も入札額の大きい質問を選択し、回答者に対して質問の内容を提示する。また、入札額加算者に対して、回答者からの回答を購入するための金額を提示し、購入額の支払いを条件に回答内容を提示する。
【００２３】
次に端末２ｎq、２ｎａの構成について説明する。図６に示されているように、端末２ｎq、２ｎａは、通信手段６１と、表示手段６２と、入力手段６３と、記憶手段６４と、制御手段６５とを備えている。通信手段６１は、サーバー２との間でブラウザ情報を送受信することができる。表示手段６２は、例えば液晶ディスプレイなどで構成される表示画面６２３を有し、ウエブブラウザ６４１によってブラウズしたサーバー２のウェブページ情報記憶部３１に記憶されている情報(ＨＴＭＬファイル等)を表示する。
【００２４】
入力手段６３は、キーボード、マウスなどのポインティングディバイスなどを備え、表示手段６２に表示された入力用画面に文字データ等を入力、或いは所定のデータを選択するために用いられる。
【００２５】
記憶手段６４は、後述する制御手段６５の処理プログラムや、処理に必要なデータ等を記憶しており、これらのプログラムやデータは、適宜制御手段６５へロードされる。記憶手段６４に記憶されている処理プログラムとてしは、ウエブブラウザ６４１や、その他のアプリケーションソフト６４２がある。ウエブブラウザ６４１は、サーバー２のウェブページ情報記憶部３１に、ＨＴＭＬで記述されているデータを、ＨＴＴＰ(Hyper Text Transfer Protocol)を用いて読み出し、ＨＴＭＬコマンド／データを翻訳しながら文字や画像等の描画データの整形処理を行い端末２nの表示画面６２３の表示領域内に表示する。
【００２６】
制御手段６５は、例えばＣＰＵ（Central  Processing  Unit）及び、ワーキングエリアとしてのＲＡＭなどにより構成することができ、記憶手段６４に記憶されているプログラム等を読み込んで実行することにより、これらのプログラムの機能を実現する。即ち、記憶手段６４からウエブブラウザ６４１を読み込んで実行することで、既述のウエブブラウザ６４１の機能が実現され、ＨＴＭＬファイルの閲覧が行われる。
【００２７】
以上のように構成された回答システム１の動作について図７〜図９に示されているフローチャートに基づいて説明する。図７〜８は、サーバー２の動作を説明するフローチャート、図９は、質問者端末２１ｑの動作を示すフローチャートである。一例として、質問者端末２１ｑの動作と、サーバー２の動作を関連付けて説明する。質問者端末２１ｑにおいてウエブブラウザソフト６４１を起動し（ステップＳ１０１ｑ）、サーバー２のウェブページ情報記憶部３１からＨＴＭＬファイルを取得しＩＤ、パスワードを入力するためのウェブページ(ウインドウ)Ｗａを、図１０に示されているように、表示画面６２３に表示する（ステップＳ１０３ｑ）。
【００２８】
ＩＤの入力ボックス６２４ａと、パスワードの入力ボックス６２５ａに、予め登録されているＩＤと、パスワードの入力を確認する（ステップＳ１０５q）。該、入力されたＩＤとパスワードは、会員を特定するため情報として、サーバー２へ供給される（ステップＳ１０７ｑ）。
【００２９】
サーバー２では、質問者端末２１ｑからＩＤとパスワードを取得すると（ステップＳ２０１）と、予め質問者情報記憶部３２に記憶されている会員のデータファイルと照合し、記憶されているＩＤとパスワードの組み合わせと、供給されたＩＤとパスワードの組み合わせとを照合する（ステップＳ２０３）。
【００３０】
一致した場合には、会員用のＨＴＭＬデータを質問者端末２１ｑに供給する（ステップＳ２０５）。このデータには、質問のカテゴリーリストが含まれている。質問者端末２１ｑでは、図１１に示されているように、供給された会員用ウェブページをウインドウＷａに表示する（ステップＳ１０９ｑ）。一致しない場合には、エラーを告げるＨＴＭＬデータを質問者端末２１ｑに供給し、質問者端末２１ｑでは、エラーページをウインドウＷａに表示する（ステップＳ２０６）。
【００３１】
ステップＳ１０９ｑで表示されたウェブページには、図１１のように、質問者から質問を受け付ける内容を分類したカテゴリーリストが表示される。このリストから質問者の質問の内容が含まれると予想されるカテゴリを、ポインティングデバイス等で選択することにより、選択されたカテゴリーを特定する情報がサーバー２に供給される（ステップＳ１１１ｑ）。
【００３２】
サーバー２では、選択されたカテゴリーを取得し（ステップＳ２０７）、選択されたカテゴリーにおける回答者として適任の回答者を回答者情報記憶部３４から抽出し、回答者リストを作成する（ステップＳ２０９）。回答者リストを含むページを作成しこれを質問者端末２１ｑに供給する（ステップＳ２１１）。
【００３３】
質問者端末２１ｑでは、回答者リストページをサーバー２から取得し、取得したウェブページをウインドウＷａに表示する（ステップＳ１１３ｑ）。図１２に示されているように、ウインドウＷａには、選択した質問カテゴリーにおける回答者のリスト６３１ａ、６３２ａ〜６３ｎａが回答者の顔写真と、氏名、及び更に詳細に分類された回答分野とともに表示される。回答を欲する回答者の顔写真をポインティングディバイス６３１で指定することにより、所望の回答者が選択される。選択された回答者は、サーバー２に供給される（ステップＳ１１５ｑ）。
【００３４】
サーバー２では、選択された回答者を取得すると（ステップＳ２１３）、選択された回答者を特定回答者として、その特定回答者の詳しい情報が掲載された回答者ページを作成し（ステップＳ２１５）、これを質問者端末２１ｑに供給する（ステップＳ２１７）。質問者端末２１ｑでは、図１３に示されているような回答者ページを取得する（ステップＳ１１７ｑ）。回答者ページには、特定された回答者の顔写真のほか経歴等、より詳しい内容が掲載されている。
【００３５】
また回答者ページでは、表示されている回答者に対して既に提示されている質問のリストを閲覧することを選択するボタン６２６aと、この回答者に対して新たに質問することを選択するボタン６２６ｂが表示され、いずれかをポインティングディバイス６３１で指定することが促される（ステップＳ１１９ｑ）。
【００３６】
サーバー２では、回答者に対して既に質問が提示されている場合には、質問リストページを作成する（ステップＳ２１９）。図１４に示されているように、質問リストページには、特定回答者に対して既に提示されている質問内容表示欄６２６ｃ、６２６ｄ、６２６ｅが設けられ、各表示欄には、その質問に対する評価数値(入札総額)表示欄及び質問者ＩＤ表示欄、加算額入力欄６２６ｃ２、６２６ｄ２、６２６ｅ２が設けられている。各質問概要表示欄には、該質問を選択する選択ボタン６２６ｃ１、６２６ｄ１、６２６ｅ１が設けられている。また、図１５に示されているように、新たに質問を提示するための質問ページも作成されている。質問ページＷａには、質問を入力する質問入力欄６２６ｆと、その質問に対する評価数(初期落札額)を入力する入力欄６２６ｇが表示される。
【００３７】
質問者端末２１ｑは、図１３に示されている回答者ページにおいて、「新たに質問をする」を選択すると、新規質問ページが表示される（ステップＳ１２１ｑ）。図１５において、質問入力欄６２６ｆに質問文章を入力し、更にその質問に対する初期落札額を入力欄６２６ｇに入力し、ＯＫボタン６２６ｈを選択する。これにより新たな質問内容と初期入札額が取得される（ステップＳ１２３ｑ）。初期入札額によって、質問者提示者が回答を欲する度合が間接的に示されている。取得された質問内容をサーバー２へ供給する（ステップＳ１２５ｑ）。
【００３８】
ステップＳ１１９ｑで、図１３のページで、質問リストの閲覧を選択した場合には、質問リストが表示される（ステップＳ１２７ｑ）。そして表示された質問リスト中の質問内容を参考にして、質問の回答を最も知りたい質問を選択し、入札額を加算する加算額入力欄に金額を入力する。この金額は、質問者一人について、最低単価が決められている。例えば５００円が最低額で、５００円単位で加算することができる。そして、加算額入力欄に入力した質問の選択ボタン６２６ｃ１、６２６ｄ１、６２６ｅ１を選択する。これにより、特定の質問に対する入札額の加算額が取得される（ステップＳ１２９ｑ）。またこれにより、選択した質問についての入札額が、質問を提示した質問者以外の者によって加算(増額)されることとなる。取得した加算額をサーバー２へ供給する（ステップＳ１３１ｑ）。
【００３９】
サーバー２では、新規質問が質問者端末２１ｑから供給されたか判断する（ステップＳ２２１）。新規質問が供給された場合には、質問リストに新規質問とその入札額を新たに加えたリストに更新する（ステップＳ２２３）。新規質問がない場合には、ステップＳ２２３はスキップされ、既に質問リストに載せられた質問について入札額の加算があったか判断する（ステップＳ２２５）。加算があった場合には、オークション情報記憶部３５の該当する質問について、入札額を加算した加算者のＩＤと、加算額を入力し、総額を計算する（ステップＳ２２７）。入札額の加算がなかった場合にはステップＳ２２７はスキップされる。ここで、入札に使用される評価数は、有価価値を有するものであればよく、この実施形態では金銭の額であるが、この例に限定されるものではなく、予め定められた価値で裏づけされた数値であれば、他の数値でもよい。例えば、数値に応じて、商品と交換できることが保障されているポイント数などが挙げられる。
【００４０】
ステップＳ２１５〜Ｓ２２７を繰り返し実行し、質問リストの各質問毎に入札額が加算され、また加算者(質問に対する回答が欲しい者)の数が増加する。
【００４１】
サーバー２は、入札期間が経過したか判断し（ステップＳ２２９）、経過した場合には、質問リストの中から、最終額が最も高い質問を特定回答に対して供給される特定質問として決定する（ステップＳ２３１）。
【００４２】
次に、特定回答者の回答者端末２１ａに、質問が投稿された旨を電子メールで通知する（ステップＳ２３３）。同時に、回答入力ページを作成する（ステップＳ２３５）。
【００４３】
図１６は、回答者端末２１ａの動作を示すフローチャートである。回答者端末２１ａでは、電子メールを受信（ステップＳ４０１ａ）すると、特定回答者として指定されたことを認識できる。そして、メールの中に記載されている回答ページのアドレスにアクセスすることより、サーバー２は回答ページを供給し（ステップＳ２３７）、回答者端末２１ａは、回答ページを取得する（ステップＳ４０３ｑ）。図１７に示されているように、ウェブページＷａには、特定回答者の氏名と、特定質問者の氏名、質問カテゴリーが表示され、更に質問内容が記載された質問欄６２６と、これ対する回答を入力する回答欄(この場合には、まだ空白)６２７が表示される。この回答欄６２７に回答の内容を入力し、ＯＫボタンをポインティングデバイス６３１で指定することにより、回答者端末２１ａで入力された回答の内容がサーバー２へ供給される（ステップＳ４０５ｑ）。
【００４４】
サーバー２では、回答内容を取得すると（ステップＳ２３９）、質問内容が記載された質問欄と、回答内容が記載された回答欄を同時に表示する回答ページを作成する（ステップＳ２４１）。
【００４５】
次に、最初に質問を提示した質問者及びその質問の回答を望んで、該質問に投票した加算者(以下「投票者」という)は、回答を受け取るために落札額(最終額)を各自負担する。この負担の割合は、落札額を投票者の数で除した額である。このように、ステップＳ２４３で、投票者の負担額を算出する。この負担額は、加算された額がすべて最低加算額であった場合に実行される。最低加算額以上の額を加算した加算者は、差額(加算額から最低加算額との差額)を負担するよう設定されていてもよい。
【００４６】
次に、各投票者に回答が作成された旨を電子メール等により通知し（ステップＳ２４５）、支払いを確認し（ステップＳ２４７）、回答ページを質問者端末２１ｑに供給する（ステップＳ２４９）。
【００４７】
図１８は、質問者端末２１ｑにおける、回答取得動作を示すフローチャートである。質問者端末２１ｑは、サーバー２からのメールを受信する（ステップＳ５０１ｑ）ことによって、特定質問者は、回答がなされたことを認識することができる。メールに記載されたウエブページアドレスに接続することにより、支払いページが表示れ、負担金の支払いが完了すると（ステップＳ５０２ｑ）、サーバー２から回答ページを取得し（ステップＳ５０３ｑ）、回答が入力されているページを表示する（ステップＳ５０５ｑ）。特定質問者は特定回答者からの回答を得る。図１９に示されているように、回答ページには、質問者からの質問の内容が質問欄６２６に、回答者からの回答の内容が回答欄６２７に、それぞれ対応した形式で表示される。また、投票者の負担金表示欄６２８も表示される。
【００４８】
このように取得された質問とこれに対応する回答の組み合わせで構成された質問回答情報は、質問情報記憶部２６に記録される。そして、例えば、質問の内容のみ、他の質問者も閲覧できるウェブページに掲載し、掲載された質問に対する回答を閲覧したい場合には、この質問の投票者の負担金と同額を支払うことにより、閲覧可能とする構成としてもよい。
【図面の簡単な説明】
【００４９】
【図１】本発明の回答システムの構成を示すブロック図である。
【図２】サーバーの構成を示すブロック図である。
【図３】質問者情報記憶部の構成を示す図である。
【図４】回答者情報記憶部の構成を示す図である。
【図５】オークション情報記憶部の構成を示す図である。
【図６】端末の構成を示すブロック図である。
【図７】サーバーの動作を示すフローチャートである。
【図８】サーバーの動作を示すフローチャートである。
【図９】質問者端末における入札操作を示すフローチャートである。
【図１０】ＩＤ入力用のウェブページを示す図である。
【図１１】質問カテゴリーを表示したウェブページを示す図である。
【図１２】回答者リストを表示したウェブページを示す図である。
【図１３】回答者詳細情報を表示したウェブページを示す図である。
【図１４】質問リストを表示したウェブページを示す図である。
【図１５】質問入力用のウェブページを示す図である。
【図１６】回答者端末の回答操作を示すフローチャートである。
【図１７】回答用のウェブページを示す図である。
【図１８】質問者端末の回答取得操作を示すフローチャートである。
【図１９】回答が併記されたウェブページを示す図である。
【符号の説明】
【００５０】
１：回答システム
２ｎｑ：質問者端末
２ｎａ：回答者端末
２：サーバー
３２：質問者情報記憶部
３４：回答者情報記憶部
３５：オークション情報記憶部
【図１】
0005181088.tif 000002
【図２】
0005181088.tif 000003
【図３】
0005181088.tif 000004
【図４】
0005181088.tif 000005
【図５】
0005181088.tif 000006
【図６】
0005181088.tif 000007
【図７】
0005181088.tif 000008
【図８】
0005181088.tif 000009
【図９】
0005181088.tif 000010
【図１０】
0005181088.tif 000011
【図１１】
0005181088.tif 000012
【図１２】
0005181088.tif 000013
【図１３】
0005181088.tif 000014
【図１４】
0005181088.tif 000015
【図１５】
0005181088.tif 000016
【図１６】
0005181088.tif 000017
【図１７】
0005181088.tif 000018
【図１８】
0005181088.tif 000019
【図１９】
0005181088.tif 000020